(57)【特許請求の範囲】
【請求項１】
光学撮像レンズセットであって、
開口絞りと、第１のレンズ素子と、第２のレンズ素子と、第３のレンズ素子と、第４のレンズ素子と、を光軸に沿って物体側から像側へ当該順に備え、
前記第１乃至第４のレンズ素子の各々が屈折力を有するとともに、前記第１乃至第４のレンズ素子のみが当該撮像レンズセットに対し屈折力を有せしめ、
前記第１のレンズ素子は、正の屈折力を有するとともに、前記物体側を向いて凸面をなす第１の物体側の面と、前記像側を向いて周縁部近傍に凸部をなす第１の像側の面とを有し、
前記第２のレンズ素子は、負の屈折力を有するとともに、前記物体側を向いて周縁部近傍に凹部をなす第２の物体側の面を有し、
前記第３のレンズ素子は、正の屈折力を有するとともに、前記物体側を向いて光軸近傍に凹部をなす第３の物体側の面と、前記像側を向いて光軸近傍に凸部をなす第３の像側の面とを有し、
前記第４のレンズ素子は、負の屈折力を有するとともに、前記物体側を向いて光軸近傍に凸部をなす第４の物体側の面と、前記像側を向いて光軸近傍に凹部をなすとともに周縁部近傍に凸部をなす第４の像側の面とを有し、
前記第１のレンズ素子と前記第２のレンズ素子との間の前記光軸に沿った空隙を示すＧ１２と、前記第２のレンズ素子と前記第３のレンズ素子との間の前記光軸に沿った空隙を示すＧ２３とは、式
０．５≦（Ｇ１２／Ｇ２３）≦３．０を満たし、
前記第４の像側の面から像面までの後側焦点距離を示すＢＦＬと、前記Ｇ２３とは、式
５．６≦（ＢＦＬ／Ｇ２３）を満たし、
前記第３のレンズ素子の前記光軸に沿った厚さを示すＴ３と、前記第１のレンズ素子から前記第４のレンズ素子までの相互に隣り合うレンズ素子間の前記光軸に沿った３つの空隙の総和を示すＧａａとは、式
（Ｔ３／Ｇａａ）≦１．２を満たしている
ことを特徴とする光学撮像レンズセット。
【請求項２】
前記Ｔ３と、前記第４のレンズ素子の前記光軸に沿った厚さを示すＴ４とは、式
（Ｔ３／Ｔ４）≦１．６５
の関係を満たすことを特徴とする請求項１に記載の光学撮像レンズセット。
【請求項３】
前記Ｔ４と前記Ｇ２３とは、式
（Ｔ４／Ｇ２３）≦７
の関係を満たすことを特徴とする請求項２に記載の光学撮像レンズセット。
【請求項４】
前記ＢＦＬと前記Ｔ４とは、式
２．６≦（ＢＦＬ／Ｔ４）
の関係を満たすことを特徴とする請求項３に記載の光学撮像レンズセット。
【請求項５】
前記第１乃至第４のレンズ素子の前記光軸に沿った全厚を示すＴａｌｌと、前記Ｇ２３とは、式
（Ｔａｌｌ／Ｇ２３）≦９．５
の関係を満たすことを特徴とする請求項２に記載の光学撮像レンズセット。
【請求項６】
前記ＢＦＬと、前記第３のレンズ素子と前記第４のレンズ素子との間の前記光軸に沿った空隙を示すＧ３４とは、式
（ＢＦＬ／Ｇ３４）≦１８
の関係を満たすことを特徴とする請求項２に記載の光学撮像レンズセット。
【請求項７】
前記ＢＦＬと前記Ｔ４は、式
２．６≦（ＢＦＬ／Ｔ４）
の関係を満たすことを特徴とする請求項６に記載の光学撮像レンズセット。
【請求項８】
前記Ｇ１２と、前記第２のレンズ素子の前記光軸に沿った厚さを示すＴ２と、前記第１のレンズ素子の前記光軸に沿った厚さを示すＴ１とは、式
（Ｔ２／Ｇ１２）≦１．７８かつ１．６≦（Ｔ１／Ｔ２）
の関係を満たすことを特徴とする請求項２に記載の光学撮像レンズセット。
【発明の詳細な説明】
【技術分野】
【０００１】
本発明は、広くは、光学撮像レンズセットならびにその光学撮像レンズセットを備えた電子機器に関する。具体的には、本発明は、長さが短縮された光学撮像レンズセットならびにその光学撮像レンズセットを備えた電子機器に関するものである。
【背景技術】
【０００２】
近年、携帯電話機およびデジタルカメラの普及によって、光学撮像レンズ素子、ホルダ、または撮像センサなど、様々な携帯型電子製品の撮影モジュールは急速に開発が進んでおり、さらには、携帯電話機およびデジタルカメラの小型化によって、撮影モジュールの小型化の要求もますます高まっている。最近の研究動向は、良好な品質を損なうことなく、長さが短縮化された光学撮像レンズセットを開発することである。
【０００３】
電荷結合素子（ＣＣＤ）または相補型金属酸化膜半導体（ＣＭＯＳ）素子の開発および小型化に伴って、撮影モジュールに取り付けられる光学撮像レンズセットも同じく要求にかなうように小型化される。ただし、系の収差の改善など、良好な光学特性および必要な光学特性について、さらには製造コストおよび製造可能性についても、考慮されなければならない。
【０００４】
４つのレンズ素子で構成された光学撮像レンズセットが知られている。例えば、特許文献１は、４つのレンズ素子で構成された光学撮像レンズセットについて開示している。その第１のレンズ素子は、負の屈折力を有し、物体側の面と像側の面がどちらも凹状である。第２のレンズ素子は、正の屈折力を有し、物体側の面と像側の面がどちらも凸状である。ところが、光学撮像レンズセットの全長は、１８〜１９ｍｍに及ぶように設計されているため、小さくはなく、光学的に理想的とはいえない。
【０００５】
さらに、特許文献２、特許文献３、特許文献４は、いずれも、４つのレンズ素子で構成された別の光学撮像レンズセットについて開示している。第１のレンズ素子と第２のレンズ素子はどちらも負の屈折力を有し、第１のレンズ素子と第２のレンズ素子の間隙がかなり大きいため、光学撮像レンズセットの全長は十分に短いとはいえない。
【先行技術文献】
【特許文献】
【０００６】
【特許文献１】米国特許出願公開第２０１１／０２９９１７８号明細書
【特許文献２】米国特許出願公開第２０１１／０２４２６８３号明細書
【特許文献３】米国特許第８２７００９７号明細書
【特許文献４】米国特許第８３７９３２６号明細書
【発明の概要】
【発明が解決しようとする課題】
【０００７】
これらの開示されている寸法は、携帯電話機およびデジタルカメラなどの携帯型電子製品の小型化の良い例を示すものではない。一方で、系の長さを効果的に短縮し、他方で、十分な光学性能を維持することは、当該分野において依然として課題である。
【課題を解決するための手段】
【０００８】
上記に鑑み、本発明は、軽量、低製造コスト、短縮された長さ、高解像度、高い像品質の光学撮像レンズセットを提案できるものである。本発明の４つのレンズ素子の光学撮像レンズセットは、光軸に沿って物体側から像側へ順に、開口絞りと、第１のレンズ素子と、第２のレンズ素子と、第３のレンズ素子と、第４のレンズ素子とを備える。各レンズ素子は何らかの屈折力を有し、光学撮像レンズセットは、屈折力を有するレンズ素子を４つのみ備える。
【０００９】
第１のレンズ素子は、正の屈折力を有し、物体側に向いた第１の物体側の面と、像側に向いた第１の像側の面とを有する。第１の物体側の面は凸面であり、第１の像側の面は、該第１のレンズ素子の周縁部近傍に凸部を有する。第２のレンズ素子は、負の屈折力を有し、物体側に向いた第２の物体側の面を有する。第２の物体側の面は、該第２のレンズ素子の周縁部近傍に凹部を有する。第３のレンズ素子は、正の屈折力を有し、物体側に向いた第３の物体側の面と、像側に向いた第３の像側の面とを有する。第３の物体側の面は光軸近傍に凹部を有し、第３の像側の面は光軸近傍に凸部を有する。第４のレンズ素子は、物体側に向いた第４の物体側の面と、像側に向いた第４の像側の面とを有する。第４の物体側の面は、光軸近傍に凸部を有する。第４の像側の面は、光軸近傍に凹部を有するとともに、該第４のレンズ素子の周縁部近傍に凸部を有する。
【００１０】
光学撮像レンズセットは、屈折力を有するレンズ素子を４つのみ備える。第１のレンズ素子と第２のレンズ素子との間に、光軸に沿って空隙Ｇ１２がある。第２のレンズ素子と第３のレンズ素子との間に、光軸に沿って空隙Ｇ２３がある。第３のレンズ素子と第４のレンズ素子との間に、光軸に沿って空隙Ｇ３４がある。全空隙Ｇａａは、第１のレンズ素子から第４のレンズ素子までの各レンズ素子間の光軸に沿った３つの空隙の和である。第１のレンズ素子の光軸に沿った厚さはＴ１である。第２のレンズ素子の光軸に沿った厚さはＴ２である。第３のレンズ素子の光軸に沿った厚さはＴ３であり、第４のレンズ素子の光軸に沿った厚さはＴ４である。第１のレンズ素子、第２のレンズ素子、第３のレンズ素子、第４のレンズ素子の光軸に沿った全厚はＴａｌｌである。第４の像側の面から像面までの光軸に沿った後側焦点距離はＢＦＬである。これらは、０．５≦（Ｇ１２／Ｇ２３）≦３．０を満たしている。
【００１１】
本発明の４つのレンズ素子の光学撮像レンズセットでは、光学撮像レンズセットは、（Ｔ３／Ｔ４）≦１．６５を満たしている。
【００１２】
本発明の４つのレンズ素子の光学撮像レンズセットでは、光学撮像レンズセットは、５．６≦（ＢＦＬ／Ｇ２３）を満たしている。
【００１３】
本発明の４つのレンズ素子の光学撮像レンズセットでは、光学撮像レンズセットは、（Ｔ４／Ｇ２３）≦７を満たしている。
【００１４】
本発明の４つのレンズ素子の光学撮像レンズセットでは、光学撮像レンズセットは、２．６≦（ＢＦＬ／Ｔ４）を満たしている。
【００１５】
本発明の４つのレンズ素子の光学撮像レンズセットでは、光学撮像レンズセットは、（Ｔａｌｌ／Ｇ２３）≦９．５を満たしている。
を設定。
【００１６】
本発明の４つのレンズ素子の光学撮像レンズセットでは、光学撮像レンズセットは、（Ｔ３／Ｇａａ）≦１．２を満たしている。
【００１７】
本発明の４つのレンズ素子の光学撮像レンズセットでは、光学撮像レンズセットは、（ＢＦＬ／Ｇ３４）≦１８を満たしている。
を設定する。
【００１８】
本発明の４つのレンズ素子の光学撮像レンズセットでは、光学撮像レンズセットは、５．６≦（ＢＦＬ／Ｇ１２）を満たしている。
【００１９】
本発明の４つのレンズ素子の光学撮像レンズセットでは、光学撮像レンズセットは、１．１≦（Ｔ３／Ｔ１）を満たしている。
【００２０】
本発明の４つのレンズ素子の光学撮像レンズセットでは、光学撮像レンズセットは、（Ｔ１／Ｔ４）≦１．４５を満たしている。
【００２１】
本発明の４つのレンズ素子の光学撮像レンズセットでは、光学撮像レンズセットは、（Ｔ２／Ｇ１２）≦１．７８を満たしている。
【００２２】
本発明の４つのレンズ素子の光学撮像レンズセットでは、光学撮像レンズセットは、１．６≦（Ｔ１／Ｔ２）を満たしている。
【００２３】
さらに、本発明では、上記のような光学撮像レンズセットを備えた電子機器について提案する。電子機器は、ケースと、ケース内に配置された撮像モジュールとを備える。撮像モジュールは、上記のような光学撮像レンズセットと、光学撮像レンズセットを取り付けるための鏡筒と、鏡筒を取り付けるためのモジュール収容ユニットと、モジュール収容ユニットを取り付けるための基板と、光学撮像レンズセットの像側で該基板に配置される撮像センサと、を有する。
【００２４】
本発明のこれらおよび他の目的は、種々の図表および図面に示す好ましい実施形態についての以下の詳細な説明を読むことで、当業者には明らかになるであろう。
【図面の簡単な説明】
【００２５】
【図１】本発明の光学撮像レンズセットの第１の例を示している。
【図２】（Ａ）は、第１の例の像面における縦球面収差を示している。（Ｂ）は、第１の例のサジタル方向の非点収差を示している。（Ｃ）は、第１の例のタンジェンシャル方向の非点収差を示している。（Ｄ）は、第１の例の歪曲収差を示している。
【図３】本発明の４つのレンズ素子の光学撮像レンズセットの第２の例を示している。
【図４】（Ａ）は、第２の例の像面における縦球面収差を示している。（Ｂ）は、第２の例のサジタル方向の非点収差を示している。（Ｃ）は、第２の例のタンジェンシャル方向の非点収差を示している。（Ｄ）は、第２の例の歪曲収差を示している。
【図５】本発明の４つのレンズ素子の光学撮像レンズセットの第３の例を示している。
【図６】（Ａ）は、第３の例の像面における縦球面収差を示している。（Ｂ）は、第３の例のサジタル方向の非点収差を示している。（Ｃ）は、第３の例のタンジェンシャル方向の非点収差を示している。（Ｄ）は、第３の例の歪曲収差を示している。
【図７】本発明の４つのレンズ素子の光学撮像レンズセットの第４の例を示している。
【図８】（Ａ）は、第４の例の像面における縦球面収差を示している。（Ｂ）は、第４の例のサジタル方向の非点収差を示している。（Ｃ）は、第４の例のタンジェンシャル方向の非点収差を示している。（Ｄ）は、第４の例の歪曲収差を示している。
【図９】本発明の４つのレンズ素子の光学撮像レンズセットの第５の例を示している。
【図１０】（Ａ）は、第５の例の像面における縦球面収差を示している。（Ｂ）は、第５の例のサジタル方向の非点収差を示している。（Ｃ）は、第５の例のタンジェンシャル方向の非点収差を示している。（Ｄ）は、第５の例の歪曲収差を示している。
【図１１】本発明の４つのレンズ素子の光学撮像レンズセットの第６の例を示している。
【図１２】（Ａ）は、第６の例の像面における縦球面収差を示している。（Ｂ）は、第６の例のサジタル方向の非点収差を示している。（Ｃ）は、第６の例のタンジェンシャル方向の非点収差を示している。（Ｄ）は、第６の例の歪曲収差を示している。
【図１３】本発明の４つのレンズ素子の光学撮像レンズセットの第７の例を示している。
【図１４】（Ａ）は、第７の例の像面における縦球面収差を示している。（Ｂ）は、第７の例のサジタル方向の非点収差を示している。（Ｃ）は、第７の例のタンジェンシャル方向の非点収差を示している。（Ｄ）は、第７の例の歪曲収差を示している。
【図１５】本発明の４つのレンズ素子の光学撮像レンズセットの第８の例を示している。
【図１６】（Ａ）は、第８の例の像面における縦球面収差を示している。（Ｂ）は、第８の例のサジタル方向の非点収差を示している。（Ｃ）は、第８の例のタンジェンシャル方向の非点収差を示している。（Ｄ）は、第８の例の歪曲収差を示している。
【図１７】本発明の４つのレンズ素子の光学撮像レンズセットの第９の例を示している。
【図１８】（Ａ）は、第９の例の像面における縦球面収差を示している。（Ｂ）は、第９の例のサジタル方向の非点収差を示している。（Ｃ）は、第９の例のタンジェンシャル方向の非点収差を示している。（Ｄ）は、第９の例の歪曲収差を示している。
【図１９】本発明の光学撮像レンズ素子の典型例となる形状を示している。
【図２０】本発明の光学撮像レンズセットを備えた携帯型電子機器の第１の好ましい例を示している。
【図２１】本発明の光学撮像レンズセットを備えた携帯型電子機器の第２の好ましい例を示している。
【図２２】光学撮像レンズセットの第１の例の光学データを示している。
【図２３】第１の例の非球面データを示している。
【図２４】光学撮像レンズセットの第２の例の光学データを示している。
【図２５】第２の例の非球面データを示している。
【図２６】光学撮像レンズセットの第３の例の光学データを示している。
【図２７】第３の例の非球面データを示している。
【図２８】光学撮像レンズセットの第４の例の光学データを示している。
【図２９】第４の例の非球面データを示している。
【図３０】光学撮像レンズセットの第５の例の光学データを示している。
【図３１】第５の例の非球面データを示している。
【図３２】光学撮像レンズセットの第６の例の光学データを示している。
【図３３】第６の例の非球面データを示している。
【図３４】光学撮像レンズセットの第７の例の光学データを示している。
【図３５】第７の例の非球面データを示している。
【図３６】光学撮像レンズセットの第８の例の光学データを示している。
【図３７】第８の例の非球面データを示している。
【図３８】光学撮像レンズセットの第９の例の光学データを示している。
【図３９】第９の例の非球面データを示している。
【図４０】これらの例におけるいくつかの重要な比率を示している。
【発明を実施するための形態】
【００２６】
本発明について詳細に説明するに当たり、まず最初に留意されるべきことは、本発明において、類似の（必ずしも同一ではない）要素は、同一の参照符号を共用しているということである。
本明細書全体において、「ある特定のレンズ素子が、負／正の屈折力を有する」とは、そのレンズ素子の光軸近傍部分が負／正の屈折力を有することを意味する。
「ある特定のレンズ素子の物体側／像側の面が、凹／凸部分または凹／凸部を有する」とは、その領域に隣接する外側の領域と比較して、その部分が、光軸と平行な方向に、より多く窪んでいる／突出していることを意味する。図１９を例にとると、光軸は「Ｉ」であり、レンズ素子は、その光軸Ｉに関して対称である。レンズ素子の物体側は、領域Ａに凸部を有し、領域Ｂに凹部を有し、領域Ｃに凸部を有する。なぜなら、領域Ａは、領域Ａに隣接する外側の領域（領域Ｂ）と比較して、光軸に平行な方向に、より突出しており、領域Ｂは領域Ｃと比較して、より窪んでおり、同様に、領域Ｃは領域Ｅと比較して、より突出しているからである。
「ある特定のレンズ素子の周縁部」とは、そのレンズ素子の光を通過させるための面の周縁領域を指し、それは同図における領域Ｃである。同図において、撮像光は、Ｌｃ（主光線）とＬｍ（周辺光線）とを含んでいる。
「光軸近傍」とは、そのレンズ素子の光を通過させるための面の光軸領域を指し、それは図１９における領域Ａである。さらに、レンズ素子は、該レンズ素子を光学撮像レンズセット内に取り付けるための拡張部Ｅを備えることができる。理想的には、光は拡張部を通過せず、また、拡張部の実際の構造および形状は、このように限定されることなく、他の様々な変形が可能である。図１、３、５、７、９、１１、１３、１５、１７では、分かりやすくするため、拡張部を示していない。
【００２７】
図１に示すように、本発明の４つのレンズ素子の光学撮像レンズセット１は、（物体が配置される）物体側２から像側３へ光軸４に沿って順に、第１のレンズ素子１０と、第２のレンズ素子２０と、第３のレンズ素子３０と、第４のレンズ素子４０と、フィルタ６０と、像面７１と、を備える。一般的に、第１のレンズ素子１０、第２のレンズ素子２０、第３のレンズ素子３０、第４のレンズ素子４０は、透明プラスチック材料で構成でき、それぞれ適切な屈折力を有するが、ただし本発明はこれに限定されない。
本発明の光学撮像レンズセット１では、屈折力を有するレンズ素子は４つのみである。光軸４は、光学撮像レンズセット１全体の光軸であり、各々のレンズ素子の光軸は、光学撮像レンズセット１の光軸と一致している。
【００２８】
さらに、光学撮像レンズセット１は、適切な位置に配置された開口絞り８０（ａｐｅ．ｓｔｏｐ）を備える。図１では、開口絞り８０は、第１のレンズ素子１０と物体側２との間で第１のレンズ素子１０の前面に配置されている。物体側２に配置された物体（図示せず）によって放射または反射された光が、本発明の光学撮像レンズセット１に入射すると、それは、開口絞り８０、第１のレンズ素子１０、第２のレンズ素子２０、第３のレンズ素子３０、第４のレンズ素子４０、フィルタ６０を通過した後に、明瞭かつ鮮鋭な像を、像側３の像面７１に形成する。
【００２９】
本発明の実施形態において、オプションのフィルタ６０は、種々の適切な機能のフィルタとすることができ、例えば、フィルタ６０は、第４のレンズ素子４０と像面７１との間に配置される赤外線カットフィルタ（ＩＲカットフィルタ）とすることができる。
【００３０】
本発明の光学撮像レンズセット１における各々のレンズ素子は、物体側２に向いた物体側の面と、像側３に向いた像側の面とを有する。また、本発明の光学撮像レンズセット１におけるそれぞれの物体側の面および像側の面は、光軸４から離れたその周縁近傍の部分（周縁部）と、より光軸４に近い光軸近傍の部分（光軸部）とを有する。例えば、第１のレンズ素子１０は、物体側の面１１と像側の面１２とを有し、第２のレンズ素子２０は、物体側の面２１と像側の面２２とを有し、第３のレンズ素子３０は、物体側の面３１と像側の面３２とを有し、第４のレンズ素子４０は、物体側の面４１と像側の面４２とを有する。
【００３１】
さらに、本発明の光学撮像レンズセット１における各々のレンズ素子は、光軸４における中心厚Ｔを有する。例えば、第１のレンズ素子１０は、第１のレンズ素子厚Ｔ１を有し、第２のレンズ素子２０は、第２のレンズ素子厚Ｔ２を有し、第３のレンズ素子３０は、第３のレンズ素子厚Ｔ３を有し、第４のレンズ素子４０は、第４のレンズ素子厚Ｔ４を有する。従って、光学撮像レンズセット１におけるすべてのレンズ素子の光軸４に沿った全厚をＴａｌとすると、Ｔａｌ＝Ｔ１＋Ｔ２＋Ｔ３＋Ｔ４である。
【００３２】
また、本発明の光学撮像レンズセット１において、２つの隣接するレンズ素子間には、光軸４に沿って空隙Ｇが設けられている。例えば、第１のレンズ素子１０と第２のレンズ素子２０との間に空隙Ｇ１２が配され、第２のレンズ素子２０と第３のレンズ素子３０との間に空隙Ｇ２３が配され、第３のレンズ素子３０と第４のレンズ素子４０との間に空隙Ｇ３４が配されている。従って、第１のレンズ素子１０から第４のレンズ素子４０までの隣接するレンズ素子間の光軸４に沿った３つの空隙の総和をＧａａとすると、Ｇａａ＝Ｇ１２＋Ｇ２３＋Ｇ３４である。
【００３３】
第１の例
本発明の光学撮像レンズセット１の第１の例を示す図１を参照する。第１の例の像面７１における縦球面収差については、図２（Ａ）を参照し、サジタル方向の非点収差については、図２（Ｂ）を参照し、タンジェンシャル方向の非点収差については、図２（Ｃ）を参照し、歪曲収差については、図２（Ｄ）を参照する。
各例における球面収差のＹ軸は、１．０で表す「視野」である。各例における非点収差および歪曲収差のＹ軸は、「像高」を表す。
【００３４】
第１の例の光学撮像レンズセット１は、４つのレンズ素子１０〜４０を備え、それぞれはプラスチック材料で構成されており、屈折力を有する。光学撮像レンズセット１は、さらに、フィルタ６０と、開口絞り８０と、像面７１とを備える。開口絞り８０は、第１のレンズ素子１０と物体側２との間に設けられる。フィルタ６０は、光に必然的に含まれる赤外線が像面に達して撮像品質に悪影響を及ぼすことを防ぐための赤外線フィルタ（ＩＲカットフィルタ）とすることができる。
【００３５】
第１のレンズ素子１０は、正の屈折力を有する。第１のレンズ素子１０の物体側２に向いた物体側の面１１は凸面である。第１のレンズ素子１０の像側３に向いた像側の面１２も凸面であり、その周縁部近傍に凸部１７（凸状の周縁部）を有する。第１のレンズ素子１０の物体側の面１１と像側の面１２は、どちらも非球面である。
【００３６】
第２のレンズ素子２０は、負の屈折力を有する。第２のレンズ素子２０の物体側２に向いた物体側の面２１は凹面であり、その周縁部近傍に凹部２４（凹状の周縁部）を有する。第２のレンズ素子２０の像側３に向いた像側の面２２も凹面である。また、第２のレンズ素子２０の物体側の面２１と像側の面２２は、どちらも非球面である。
【００３７】
第３のレンズ素子３０は、正の屈折力を有し、第３のレンズ素子３０の物体側２に向いた物体側の面３１と、第３のレンズ素子３０の像側３に向いた像側の面３２とを有する。物体側の面３１は、光軸近傍に凹部３３（凹状の光軸部）を有するとともに、その周縁部近傍に凸部３４（凸状の周縁部）を有する。像側の面３２は、光軸近傍に凸部３６を有するとともに、その周縁部近傍に凹部３７（凹状の周縁部）を有する。また、第３のレンズ素子３０の物体側の面３１と像側の面３２は、どちらも非球面である。
【００３８】
第４のレンズ素子４０は、負の屈折力を有する。第４のレンズ素子４０の物体側２に向いた物体側の面４１は、光軸近傍に凸部４３（凸状の光軸部）を有するとともに、その周縁部近傍に凹部４４（凹状の周縁部）を有する。第４のレンズ素子４０の像側３に向いた像側の面４２は、光軸近傍に凹部４６を有するとともに、その周縁部近傍に凸部４７を有する。また、第４のレンズ素子４０の物体側の面４１と像側の面４２は、どちらも非球面である。フィルタ６０は、赤外線フィルタ（ＩＲカットフィルタ）とすることができ、第４のレンズ素子４０と像面７１との間に配置され得る。
【００３９】
本発明の光学撮像レンズセット１において、第１のレンズ素子１０から第４のレンズ素子４０までの物体側１１／２１／３１／４１と像側１２／２２／３２／４２の合わせて８面は、すべて非球面である。これらの非球面係数は、以下の式で定義される。
0005951739.tif 000002
ここで、
Ｒは、レンズ素子面の曲率半径を表す。
Ｚは、非球面の深さ（光軸から距離Ｙにある非球面上の点と、非球面の光軸上の頂点における接平面と、の間の垂直距離）を表す。
Ｙは、非球面上の点から光軸までの垂直距離を表す。
Ｋは、円錐定数である。
ａ２ｉは、２ｉ次の非球面係数である。
【００４０】
光学撮像レンズセット１の第１の例の光学データを図２２に示しており、非球面データを図２３に示している。以下の光学撮像レンズセットの例では、光学レンズ素子系全体のＦナンバーをＦｎｏとし、ＨＦＯＶは、光学レンズ素子系全体の視野の半分である半視野を表し、また、曲率半径、厚さ、および焦点距離の単位は、ミリメートル（ｍｍ）であり、ＥＦＬは、光学撮像レンズセット１の系の焦点距離である。光学撮像レンズセットの（第１の物体側の面から像面までの光軸に沿った）長さは、３．３２５ｍｍである。像高は、２．２７０ｍｍである。第１の例のいくつかの重要な比率は、以下の通りである。
Ｔａｌｌ＝１．５４７
Ｇａａ＝０．５１２
ＢＦＬ＝１．２６７
（Ｇ１２／Ｇ２３）＝０．７３６（０．５〜３．０の条件を満たしている）
（Ｔ３／Ｔ４）＝１．３６３（１．６５未満の条件を満たしている）
（ＢＦＬ／Ｇ２３）＝５．６５０（５．６超の条件を満たしている）
（Ｔ４／Ｇ２３）＝１．６７２（７．０未満の条件を満たしている）
（Ｔ３／Ｇａａ）＝０．９９８（１．２未満の条件を満たしている）
（ＢＦＬ／Ｔ４）＝３．３７９（２．６超の条件を満たしている）
（Ｔａｌｌ／Ｇ２３）＝６．９０１（９．５未満の条件を満たしている）
（ＢＦＬ／Ｇ３４）＝１０．３１９（１８．０未満の条件を満たしている）
（ＢＦＬ／Ｇ１２）＝７．６７４（５．６超の条件を満たしている）
（Ｔ３／Ｔ１）＝１．１５７（１．１超の条件を満たしている）
（Ｔ１／Ｔ４）＝１．１７８（１．４５未満の条件を満たしている）
（Ｔ２／Ｇ１２）＝１．３３０（１．７８未満の条件を満たしている）
（Ｔ１／Ｔ２）＝２．０１２（１．６超の条件を満たしている）
【００４１】
第２の例
本発明の光学撮像レンズセット１の第２の例を示す図３を参照する。第２の例の像面７１における縦球面収差については、図４（Ａ）を参照し、サジタル方向の非点収差については、図４（Ｂ）を参照し、タンジェンシャル方向の非点収差については、図４（Ｃ）を参照し、歪曲収差については、図４（Ｄ）を参照する。
第２の例は、第２のレンズ素子２０の像側の面２２が、光軸近傍に凸部２６（凸状の光軸部）を有するとともに、その周縁部近傍に凹部２７（凹状の周縁部）を有すること以外は、第１の例に類似している。光学撮像レンズセットの第２の例の光学データを図２４に示しており、非球面データを図２５に示している。
光学撮像レンズセットの長さは、３．４１６ｍｍである。像高は、２．２７ｍｍである。第２の例のいくつかの重要な比率は、以下の通りである。
Ｔａｌｌ＝１．５３９
Ｇａａ＝０．５２５
ＢＦＬ＝１．３５２
（Ｇ１２／Ｇ２３）＝２．８４８
（Ｔ３／Ｔ４）＝１．２３５
（ＢＦＬ／Ｇ２３）＝１０．２０４
（Ｔ４／Ｇ２３）＝３．３９４
（Ｔ３／Ｇａａ）＝１．０５８
（ＢＦＬ／Ｔ４）＝３．００６
（Ｔａｌｌ／Ｇ２３）＝１１．６１１
（ＢＦＬ／Ｇ３４）＝９０．３３１
（ＢＦＬ／Ｇ１２）＝３．５８２
（Ｔ３／Ｔ１）＝１．５６４
（Ｔ１／Ｔ４）＝０．７９０
（Ｔ２／Ｇ１２）＝０．４７２
（Ｔ１／Ｔ２）＝１．９９５
【００４２】
第３の例
本発明の光学撮像レンズセット１の第３の例を示す図５を参照する。第３の例の像面７１における縦球面収差については、図６（Ａ）を参照し、サジタル方向の非点収差については、図６（Ｂ）を参照し、タンジェンシャル方向の非点収差については、図６（Ｃ）を参照し、歪曲収差については、図６（Ｄ）を参照する。
第３の例は、第２のレンズ素子２０の像側の面２２が、光軸近傍に凹部２６’（凹状の光軸部）を有するとともに、その周縁部近傍に凸部２７’（凸状の周縁部）を有し、第３のレンズ素子３０の物体側の面３１が凹面であって、その周縁部近傍に凹部３４’（凹状の周縁部）を有し、第４のレンズ素子４０の物体側の面４１が凸面であって、その周縁部近傍に凸部４４’（凸状の周縁部）を有すること以外は、第１の例と類似している。
光学撮像レンズセットの第３の例の光学データを図２６に示しており、非球面データを図２７に示している。光学撮像レンズセットの長さは、３．４５５ｍｍである。像高は、２．２７０ｍｍである。第３の例のいくつかの重要な比率は、以下の通りである。
Ｔａｌｌ＝１．６８６
Ｇａａ＝０．５０６
ＢＦＬ＝１．２６４
（Ｇ１２／Ｇ２３）＝０．９０３
（Ｔ３／Ｔ４）＝１．１８０
（ＢＦＬ／Ｇ２３）＝５．６５４
（Ｔ４／Ｇ２３）＝２．００５
（Ｔ３／Ｇａａ）＝１．０４５
（ＢＦＬ／Ｔ４）＝２．８２０
（Ｔａｌｌ／Ｇ２３）＝７．５４５
（ＢＦＬ／Ｇ３４）＝１５．６８０
（ＢＦＬ／Ｇ１２）＝６．２６３
（Ｔ３／Ｔ１）＝１．１２８
（Ｔ１／Ｔ４）＝１．０４６
（Ｔ２／Ｇ１２）＝１．１９４
（Ｔ１／Ｔ２）＝１．９４５
【００４３】
第４の例
本発明の光学撮像レンズセット１の第４の例を示す図７を参照する。第４の例の像面７１における縦球面収差については、図８（Ａ）を参照し、サジタル方向の非点収差については、図８（Ｂ）を参照し、タンジェンシャル方向の非点収差については、図８（Ｃ）を参照し、歪曲収差については、図８（Ｄ）を参照する。
第４の例は、第２のレンズ素子２０の像側の面２２が、光軸近傍に凹部２６’（凹状の光軸部）を有するとともに、その周縁部近傍に凸部２７’（凸状の周縁部）を有し、第３のレンズ素子３０の物体側の面３１が凹面であって、その周縁部近傍に凹部３４’（凹状の周縁部）を有し、第４のレンズ素子４０の物体側の面４１が、光軸近傍に凸部４３（凸状の光軸部）を有するとともに、その周縁部近傍に別の凸部４４’（凸状の周縁部）を有し、さらに光軸と周縁部との間に凹部４５を有すること以外は、第１の例と類似している。
光学撮像レンズセットの第４の例の光学データを図２８に示しており、非球面データを図２９に示している。光学撮像レンズセットの長さは、３．４０１ｍｍである。像高は、２．２７０ｍｍである。第４の例のいくつかの重要な比率は、以下の通りである。
Ｔａｌｌ＝１．６３４
Ｇａａ＝０．５０７
ＢＦＬ＝１．２６０
（Ｇ１２／Ｇ２３）＝１．８２０
（Ｔ３／Ｔ４）＝１．５５３
（ＢＦＬ／Ｇ２３）＝９．４２３
（Ｔ４／Ｇ２３）＝２．７０５
（Ｔ３／Ｇａａ）＝１．１０８
（ＢＦＬ／Ｔ４）＝３．４８４
（Ｔａｌｌ／Ｇ２３）＝１２．２２５
（ＢＦＬ／Ｇ３４）＝９．６９２
（ＢＦＬ／Ｇ１２）＝５．１７７
（Ｔ３／Ｔ１）＝１．２２１
（Ｔ１／Ｔ４）＝１．２７２
（Ｔ２／Ｇ１２）＝１．０３２
（Ｔ１／Ｔ２）＝１．８３１
【００４４】
第５の例
本発明の光学撮像レンズセット１の第５の例を示す図９を参照する。第５の例の像面７１における縦球面収差については、図１０（Ａ）を参照し、サジタル方向の非点収差については、図１０（Ｂ）を参照し、タンジェンシャル方向の非点収差については、図１０（Ｃ）を参照し、歪曲収差については、図１０（Ｄ）を参照する。
第５の例は、第２のレンズ素子２０の像側の面２２が、光軸近傍に凹部２６’（凹状の光軸部）を有するとともに、その周縁部近傍に別の凹部２７（凹状の周縁部）を有し、さらに周縁部と光軸との間に凸部２８を有すること以外は、第１の例と類似している。
光学撮像レンズセットの第５の例の光学データを図３０に示しており、非球面データを図３１に示している。光学撮像レンズセットの長さは、３．４０４ｍｍである。像高は、２．２７０ｍｍである。第５の例のいくつかの重要な比率は、以下の通りである。
Ｔａｌｌ＝１．７１１
Ｇａａ＝０．４６０
ＢＦＬ＝１．２３３
（Ｇ１２／Ｇ２３）＝１．５８３
（Ｔ３／Ｔ４）＝１．４４５
（ＢＦＬ／Ｇ２３）＝９．３０６
（Ｔ４／Ｇ２３）＝２．８８２
（Ｔ３／Ｇａａ）＝１．２００
（ＢＦＬ／Ｔ４）＝３．２２９
（Ｔａｌｌ／Ｇ２３）＝１２．９０８
（ＢＦＬ／Ｇ３４）＝１０．４８８
（ＢＦＬ／Ｇ１２）＝５．８８１
（Ｔ３／Ｔ１）＝１．１３９
（Ｔ１／Ｔ４）＝１．２６８
（Ｔ２／Ｇ１２）＝１．３９５
（Ｔ１／Ｔ２）＝１．６５６
【００４５】
第６の例
本発明の光学撮像レンズセット１の第６の例を示す図１１を参照する。第６の例の像面７１における縦球面収差については、図１２（Ａ）を参照し、サジタル方向の非点収差については、図１２（Ｂ）を参照し、タンジェンシャル方向の非点収差については、図１２（Ｃ）を参照し、歪曲収差については、図１２（Ｄ）を参照する。
第６の例は、第１のレンズ素子１０の像側の面１２が、光軸近傍に凹部１６（凹状の光軸部）を有し、第２のレンズ素子２０の像側の面２２が、光軸近傍に凹部２６’（凹状の光軸部）を有するとともに、その周縁部近傍に凸部２７’（凸状の周縁部）を有し、第３のレンズ素子３０の物体側の面３１が凹面であって、その周縁部近傍に凹部３４’（凹状の周縁部）を有し、第３のレンズ素子３０の像側の面３２が凸面であって、その周縁部近傍に凸部３７’（凸状の周縁部）を有すること以外は、第１の例と類似している。
光学撮像レンズセットの第６の例の光学データを図３２に示しており、非球面データを図３３に示している。光学撮像レンズセットの長さは、３．４４７ｍｍである。像高は、２．２７０ｍｍである。第６の例のいくつかの重要な比率は、以下の通りである。
Ｔａｌｌ＝１．３６１
Ｇａａ＝１．０２４
ＢＦＬ＝１．０６２
（Ｇ１２／Ｇ２３）＝１．２４８
（Ｔ３／Ｔ４）＝１．６５０
（ＢＦＬ／Ｇ２３）＝７．０３４
（Ｔ４／Ｇ２３）＝１．６３３
（Ｔ３／Ｇａａ）＝０．３９７
（ＢＦＬ／Ｔ４）＝４．３０７
（Ｔａｌｌ／Ｇ２３）＝９．０１３
（ＢＦＬ／Ｇ３４）＝１．５５１
（ＢＦＬ／Ｇ１２）＝５．６３６
（Ｔ３／Ｔ１）＝０．８９１
（Ｔ１／Ｔ４）＝１．８５１
（Ｔ２／Ｇ１２）＝１．３３１
（Ｔ１／Ｔ２）＝１．８２０
【００４６】
第７の例
本発明の光学撮像レンズセット１の第７の例を示す図１３を参照する。第７の例の像面７１における縦球面収差については、図１４（Ａ）を参照し、サジタル方向の非点収差については、図１４（Ｂ）を参照し、タンジェンシャル方向の非点収差については、図１４（Ｃ）を参照し、歪曲収差については、図１４（Ｄ）を参照する。
第７の例は、第２のレンズ素子２０の像側の面２２が、光軸近傍に凹部２６’（凹状の光軸部）を有するとともに、その周縁部近傍に別の凹部２７（凹状の周縁部）を有し、さらに周縁部と光軸との間に凸部２８を有すること以外は、第１の例と類似している。
光学撮像レンズセットの第７の例の光学データを図３４に示しており、非球面データを図３５に示している。光学撮像レンズセットの長さは、３．５１８ｍｍである。像高は、２．２７０ｍｍである。第７の例のいくつかの重要な比率は、以下の通りである。
Ｔａｌｌ＝２．０９８
Ｇａａ＝０．４４６
ＢＦＬ＝０．９７５
（Ｇ１２／Ｇ２３）＝２．０４４
（Ｔ３／Ｔ４）＝０．５３５
（ＢＦＬ／Ｇ２３）＝７．４９７
（Ｔ４／Ｇ２３）＝６．９９９
（Ｔ３／Ｇａａ）＝１．０９１
（ＢＦＬ／Ｔ４）＝１．０７１
（Ｔａｌｌ／Ｇ２３）＝１６．１３９
（ＢＦＬ／Ｇ３４）＝１９．４９２
（ＢＦＬ／Ｇ１２）＝３．６６８
（Ｔ３／Ｔ１）＝０．９４５
（Ｔ１／Ｔ４）＝０．５６６
（Ｔ２／Ｇ１２）＝０．７０５
（Ｔ１／Ｔ２）＝２．７４７
【００４７】
第８の例
本発明の光学撮像レンズセット１の第８の例を示す図１５を参照する。第８の例の像面７１における縦球面収差については、図１６（Ａ）を参照し、サジタル方向の非点収差については、図１６（Ｂ）を参照し、タンジェンシャル方向の非点収差については、図１６（Ｃ）を参照し、歪曲収差については、図１６（Ｄ）を参照する。
第８の例は、第２のレンズ素子２０の像側の面２２が、光軸近傍に凹部２６’（凹状の光軸部）を有するとともに、その周縁部近傍に凸部２７’（凸状の周縁部）を有し、第３のレンズ素子３０の物体側の面３１が凹面であって、その周縁部近傍に凹部３４’（凹状の周縁部）を有し、第４のレンズ素子４０の物体側の面４１が凸面であって、その周縁部近傍に凸部４４’（凸状の周縁部）を有すること以外は、第１の例と類似している。
光学撮像レンズセットの第８の例の光学データを図３６に示しており、非球面データを図３７に示している。光学撮像レンズセットの長さは、３．４７５ｍｍである。像高は、２．２７０ｍｍである。第８の例のいくつかの重要な比率は、以下の通りである。
Ｔａｌｌ＝１．７３９
Ｇａａ＝０．４７６
ＢＦＬ＝１．２６０
（Ｇ１２／Ｇ２３）＝０．７２６
（Ｔ３／Ｔ４）＝１．２１４
（ＢＦＬ／Ｇ２３）＝５．４７８
（Ｔ４／Ｇ２３）＝１．８７４
（Ｔ３／Ｇａａ）＝１．０９９
（ＢＦＬ／Ｔ４）＝２．９２４
（Ｔａｌｌ／Ｇ２３）＝７．５５９
（ＢＦＬ／Ｇ３４）＝１５．９１５
（ＢＦＬ／Ｇ１２）＝７．５５１
（Ｔ３／Ｔ１）＝１．０７０
（Ｔ１／Ｔ４）＝１．１３５
（Ｔ２／Ｇ１２）＝１．７７０
（Ｔ１／Ｔ２）＝１．６５７
【００４８】
第９の例
本発明の光学撮像レンズセット１の第９の例を示す図１７を参照する。第９の例の像面７１における縦球面収差については、図１８（Ａ）を参照し、サジタル方向の非点収差については、図１８（Ｂ）を参照し、タンジェンシャル方向の非点収差については、図１８（Ｃ）を参照し、歪曲収差については、図１８（Ｄ）を参照する。
第９の例は、第２のレンズ素子２０の像側の面２２が、光軸近傍に凹部２６’（凹状の光軸部）を有するとともに、その周縁部近傍に凸部２７’（凸状の周縁部）を有し、第３のレンズ素子３０の物体側の面３１が凹面であって、その周縁部近傍に凹部３４’（凹状の周縁部）を有し、第４のレンズ素子４０の物体側の面４１が凸面であって、その周縁部近傍に凸部４４’（凸状の周縁部）を有すること以外は、第１の例と類似している。
光学撮像レンズセットの第９の例の光学データを図３８に示しており、非球面データを図３９に示している。光学撮像レンズセットの長さは、３．４６６ｍｍである。像高は、２．２７０ｍｍである。第９の例のいくつかの重要な比率は、以下の通りである。
Ｔａｌｌ＝１．７３０
Ｇａａ＝０．４７６
ＢＦＬ＝１．２６０
（Ｇ１２／Ｇ２３）＝０．７７９
（Ｔ３／Ｔ４）＝１．２５７
（ＢＦＬ／Ｇ２３）＝５．６３７
（Ｔ４／Ｇ２３）＝１．９２９
（Ｔ３／Ｇａａ）＝１．１４０
（ＢＦＬ／Ｔ４）＝２．９２１
（Ｔａｌｌ／Ｇ２３）＝７．７４１
（ＢＦＬ／Ｇ３４）＝１６．１５５
（ＢＦＬ／Ｇ１２）＝７．２３７
（Ｔ３／Ｔ１）＝１．１５８
（Ｔ１／Ｔ４）＝１．０８６
（Ｔ２／Ｇ１２）＝１．６５７
（Ｔ１／Ｔ２）＝１．６２３
【００４９】
各例のいくつかの重要な比率を、図４０に示している。
【００５０】
上記の例によって、本発明者らは、以下の特徴を観測している。
１）第１のレンズ素子の正の屈折力によって、光学撮像レンズセット１全体の屈折力を与え、第２のレンズ素子の負の屈折力は、収差を最小限に抑える助けとなり、第３のレンズ素子の正の屈折力は、光学撮像レンズセット１全体の屈折力への寄与によって、光学撮像レンズセットの設計および製造の難しさを軽減する助けとなる。
２）第１のレンズ素子の物体側の面の凸面は、撮像光を集光する助けとなり、また、第１のレンズ素子の像側の面の凸部と、第２のレンズ素子の物体側の面のその周縁部近傍の凹部と、第３のレンズ素子の物体側の面の光軸近傍の凹部と、第３のレンズ素子の像側の面の光軸近傍の凸部と、第４のレンズ素子の物体側の面の光軸近傍の凸部、像側の面の光軸近傍の凹部および周縁部近傍の凸部との協働によって、像品質を高めることができる。
【００５１】
以上のことから、本発明のレンズ素子の設計および組み合わせによって、優れた像品質が得られる。
【００５２】
さらに、上記のいくつかの重要な比率による様々に異なる光学データについて、いくつかの、より望ましい比率の範囲があることが分かっている。より望ましい比率範囲は、設計者が、より良好な光学性能で、かつ長さが効果的に縮小された、実際に可能な光学撮像レンズセットを設計する際の助けとなる。例えば、
１．Ｇ１２／Ｇ２３は、０．５〜３．０の間であるべきである。Ｇ１２とＧ２３は、それぞれ、第１のレンズ素子１０と第２のレンズ素子２０との間の空隙、または第２のレンズ素子２０と第３のレンズ素子３０との間の空隙である。この比は、０．５〜３．０の間であることが好ましい。空隙が大きいほど、レンズセットの長さは大きくなり得る一方、空隙が小さいほど、レンズセットの組み立て難易度は高くなり得る。
２．Ｔ３／Ｔ４は、１．６５以下であることが好ましく、Ｔ３／Ｔ１は、１．１以上であることが好ましく、Ｔ１／Ｔ４は、１．４５以下であることが好ましく、Ｔ１／Ｔ２は、１．６より大きいことが好ましい。Ｔ１〜Ｔ４は、各レンズ素子の厚さである。これらは、大きすぎるべきではなく、または小さすぎるべきではない。Ｔ３／Ｔ４は、好ましくは１．６５以下、より好ましくは０．５〜１．６５の間であることが推奨され、Ｔ３／Ｔ１は、好ましくは１．１以上、より好ましくは１．１〜２．０の間であることが推奨され、Ｔ１／Ｔ４は、好ましくは１．４５以下、より好ましくは０．５〜１．４５の間であることが推奨され、Ｔ１／Ｔ２は、好ましくは１．６より大きく、より好ましくは１．６〜３．０の間であることが推奨される。
３．ＢＦＬ／Ｇ２３は、５．６以上であることが好ましく、ＢＦＬ／Ｇ１２は、５．６以上であることが好ましく、ＢＦＬ／Ｔ４は、２．６以上であることが好ましい。ＢＦＬは、光学撮像レンズセットの後側焦点距離、すなわち、第４の像側の面から像面までの光軸に沿った距離である。このＢＦＬは、製品仕様またはＩＲカットフィルタの厚さに制限されるので、あまり融通は利かない。一方、Ｇ１２、Ｇ２３、Ｔ４は、全長を小さくするために縮小可能である。ＢＦＬ／Ｇ２３は、好ましくは５．６以上、より好ましくは５．６〜１１．０の間であることが推奨され、ＢＦＬ／Ｇ１２は、好ましくは５．６以上、より好ましくは５．６〜９．０の間であることが推奨され、ＢＦＬ／Ｔ４は、好ましくは２．６以上、より好ましくは２．６〜５．０の間であることが推奨される。
４．ＢＦＬ／Ｇ３４は、１８．０以下であることが好ましい。ＢＦＬは、上述のように、あまり融通が利かない。Ｇ３４が小さすぎることによる組み立て上の不都合を回避するために、Ｇ３４は、小さくなりすぎることなく、理想的な範囲に維持されなければならない。ＢＦＬ／Ｇ３４は、好ましくは１８．０以下、より好ましくは８．０〜１８．０の間であることが推奨される。
５．Ｔ４／Ｇ２３は、７．０以下であることが好ましく、Ｔａｌｌ／Ｇ２３は、９．５以下であることが好ましく、Ｔ３／Ｇａａは、１．２以下であることが好ましく、Ｔ２／Ｇ１２は、１．７８以下であることが好ましい。Ｇ１２およびＧ２３は、上述のように、より短縮された全長を得るために縮小できる。これらが比較的小さければ、Ｔ２、Ｔ３、Ｔ４、Ｔａｌｌなど、対応する厚さまたはレンズ素子の全厚は、理想的な範囲に維持されるはずである。Ｔ４／Ｇ２３は、好ましくは７．０以下、より好ましくは１．０〜７．０の間であることが推奨され、Ｔａｌｌ／Ｇ２３は、好ましくは９．５以下、より好ましくは５．０〜９．５の間であることが推奨され、Ｔ３／Ｇａａは、好ましくは１．２以下、より好ましくは０．３〜１．２の間であることが推奨され、Ｔ２／Ｇ１２は、好ましくは１．７８以下、より好ましくは０．４〜１．７８の間であることが推奨される。
【００５３】
本発明の光学撮像レンズセット１は、携帯型電子機器に適用できる。図２０を参照する。図２０は、携帯型電子機器１００で使用される本発明の光学撮像レンズセット１の第１の好ましい例を示している。携帯型電子機器１００は、ケース１１０と、ケース１１０内に取り付けられた撮像モジュール１２０と、を備える。図２０では、一例として携帯電話機を示しているが、携帯型電子機器１００は、携帯電話機に限定されない。
【００５４】
図２０に示すように、撮像モジュール１２０は、上記のような光学撮像レンズセット１を備える。図２０では、前述の第１の例の光学撮像レンズセット１を示している。さらに、携帯型電子機器１００は、光学撮像レンズセット１を取り付けるための鏡筒１３０と、鏡筒１３０を取り付けるためのモジュール収容ユニット１４０と、モジュール収容ユニット１４０を取り付けるための基板１７２と、光学撮像レンズセット１の像側３で基板１７２に配置される撮像センサ７０と、を収容している。光学撮像レンズセット１における撮像センサ７０は、電荷結合素子または相補型金属酸化膜半導体素子などの電子受光素子とすることができる。像面７１は、撮像センサ７０に形成される。
【００５５】
本例で用いる撮像センサ７０は、従来のチップ・スケール・パッケージ（ＣＳＰ：Ｃｈｉｐ  Ｓｃａｌｅ  Ｐａｃｋａｇｅ）製品ではなく、チップ・オン・ボード（ＣＯＢ：Ｃｈｉｐ  Ｏｎ  Ｂｏａｒｄ）パッケージ製品であり、従って、基板１７２に直接装着されており、光学撮像レンズセット１において撮像センサ７０の前面に保護ガラスを必要としない。ただし、本発明はこれに限定されない。
【００５６】
特に留意されるべきことは、オプションのフィルタ６０を本例では設けているが、他の例では、オプションのフィルタ６０を省くことができるということである。ケース１１０、鏡筒１３０、および／またはモジュール収容ユニット１４０は、単一の要素とするか、または複数の要素で構成できるが、ただし、本発明はこれに限定されない。
【００５７】
屈折力を有する４つのレンズ素子１０、２０、３０、４０の各々は、例示のようにして、２つの隣接するレンズ素子間に空隙を配して、鏡筒１３０内に取り付けられる。モジュール収容ユニット１４０は、レンズ素子ハウジング１４１と、このレンズ素子ハウジング１４１と撮像センサ７０との間に設けられる撮像センサハウジング１４６と、を含んでいる。ただし、他の例では、撮像センサハウジング１４６はオプションである。鏡筒１３０は、軸Ｉ‐Ｉ’に沿ってレンズ素子ハウジング１４１と同軸状に配置され、鏡筒１３０はレンズ素子ハウジング１４１の内部に設けられる。
【００５８】
本発明の光学撮像レンズセット１は、３．５ｍｍほどに短縮され得るので、この理想的な長さによって、携帯型電子機器１００の寸法ならびにサイズの小型化および軽量化を可能としつつ、依然として優れた光学性能および像品質が可能である。このように、本発明の種々の例は、小型化および軽量化する製品設計の傾向および消費者需要に応えるだけではなく、使用原料の削減による経済的利益の要求に応えるものである。
【００５９】
さらに、第２の好ましい例での、携帯型電子機器２００における前述の光学撮像レンズセット１の別の適用について、図２１を参照する。第２の好ましい例における携帯型電子機器２００と、第１の好ましい例における携帯型電子機器１００との主な違いは、レンズ素子ハウジング１４１が、第１の台座要素１４２と、第２の台座要素１４３と、コイル１４４と、磁性部品１４５と、を含むことである。第１の台座要素１４２は、鏡筒１３０を取り付けるためのものであり、鏡筒１３０の外側に装着されて、軸Ｉ‐Ｉ’に沿って配置される。第２の台座要素１４３は、軸Ｉ‐Ｉ’に沿って配置されて、第１の台座要素１４２の外側を取り囲む。コイル１４４は、第１の台座要素１４２の外側と第２の台座要素１４３の内側との間に設けられる。磁性部品１４５は、コイル１４４の外側と第２の台座要素１４３の内側との間に配置される。
【００６０】
第１の台座要素１４２は、鏡筒１３０と、鏡筒１３０の内部に配置された光学撮像レンズセット１とを、軸Ｉ‐Ｉ’すなわち図１の光軸４に沿って動かすように引っ張ることができる。撮像センサハウジング１４６は、第２の台座要素１４３に装着されている。赤外線フィルタなどのフィルタ６０は、撮像センサハウジング１４６に取り付けられる。第２の好ましい例における携帯型電子機器２００の他の細部は、第１の好ましい例における携帯型電子機器１００のものと同様であり、従って、それらについての詳述は繰り返さない。
【００６１】
本発明の教示を守りつつ、装置ならびに方法の様々な変形および変更を実施できることは、当業者であれば容易に認められるであろう。従って、上記開示は、添付の請求項の限界および範囲によってのみ限定されるものと解釈されるべきである。
【図１】
0005951739.tif 000003
【図２】
0005951739.tif 000004
【図３】
0005951739.tif 000005
【図４】
0005951739.tif 000006
【図５】
0005951739.tif 000007
【図６】
0005951739.tif 000008
【図７】
0005951739.tif 000009
【図８】
0005951739.tif 000010
【図９】
0005951739.tif 000011
【図１０】
0005951739.tif 000012
【図１１】
0005951739.tif 000013
【図１２】
0005951739.tif 000014
【図１３】
0005951739.tif 000015
【図１４】
0005951739.tif 000016
【図１５】
0005951739.tif 000017
【図１６】
0005951739.tif 000018
【図１７】
0005951739.tif 000019
【図１８】
0005951739.tif 000020
【図１９】
0005951739.tif 000021
【図２０】
0005951739.tif 000022
【図２１】
0005951739.tif 000023
【図２２】
0005951739.tif 000024
【図２３】
0005951739.tif 000025
【図２４】
0005951739.tif 000026
【図２５】
0005951739.tif 000027
【図２６】
0005951739.tif 000028
【図２７】
0005951739.tif 000029
【図２８】
0005951739.tif 000030
【図２９】
0005951739.tif 000031
【図３０】
0005951739.tif 000032
【図３１】
0005951739.tif 000033
【図３２】
0005951739.tif 000034
【図３３】
0005951739.tif 000035
【図３４】
0005951739.tif 000036
【図３５】
0005951739.tif 000037
【図３６】
0005951739.tif 000038
【図３７】
0005951739.tif 000039
【図３８】
0005951739.tif 000040
【図３９】
0005951739.tif 000041
【図４０】
0005951739.tif 000042